(57)【要約】      （修正有）【課題】補間区間の推定演算精度をユーザが把握し、データ収集方式の選択、イベント方式におけるしきい値幅選択、ポーリング方式における周期選択および補間方式の選択を可能とする物理量収集システムを実現する。【解決手段】遠隔配置された測定装置で測定された物理量の瞬時値が所定のしきい値を超えたイベント発生時にネットワークを介して情報収集装置に送信すると共に、瞬時値に対して所定幅のしきい値を設定するしきい値設定手段と、送信された瞬時値の時系列データに対する所定の補間区間での補間演算手段と、時系列データおよび補間演算手段の演算結果を保持する情報蓄積手段とを具備する物理量収集システムにおいて、測定装置は測定された物理量を積算する物理量積算手段を備え、積算値をネットワークを介して情報収集装置に送信し、前記情報収集装置は、補間区間での時間平均値演算する補間値平均演算手段とを備え、それらを情報蓄積手段に保持する。【選択図】図１
2013182497.tif 000002
【特許請求の範囲】
【請求項１】
遠隔配置された測定装置で測定された物理量の瞬時値を、この瞬時値が所定のしきい値を超えたイベント発生時にネットワークを介して情報収集装置に送信すると共に、送信された前記瞬時値に対して所定幅のしきい値を設定するしきい値設定手段と、送信された前記瞬時値の時系列データに対する所定の補間区間での補間演算手段と、送信された前記瞬時値の時系列データおよび前記補間演算手段の補間演算結果を保持する情報蓄積手段とを具備する物理量収集システムにおいて、
前記測定装置は、測定された前記物理量を積算する物理量積算手段を備え、この物理量積算手段の積算値を、前記ネットワークを介して前記情報収集装置に送信し、
前記情報収集装置は、前記補間区間での推定積算値の時間平均値を演算する推定平均演算手段と、送信された前記積算値の前記補間区間での時間平均値を演算する実績平均演算手段とを備え、前記推定平均演算手段の推定平均値および前記実績平均演算手段の実績平均値を前記情報蓄積手段に保持する、
ことを特徴とする物理量収集システム。
【請求項２】
前記情報収集装置は、前記推定平均演算手段の時間平均値及び前記実績平均演算手段の時間平均値の差に基づいて、前記しきい値設定手段の前記所定幅を変更する平均値比較手段を備えることを特徴とする請求項１に記載の物理量収集システム。
【請求項３】
前記補間演算手段は、ユーザが指定する１個または複数個の補間方式に基づく補間演算を実行することを特徴とする請求項１または２に記載の物理量収集システム。
【請求項４】
前記情報収集装置は、一定期間に収集した前記瞬時値に対して、前記測定装置より定期的に前記積算値を取得することを特徴とする請求項１乃至３のいずれかに記載の物理量収集システム。
【請求項５】
遠隔配置された測定装置で測定された物理量の瞬時値を、所定のポーリング周期でネットワークを介して情報収集装置に送信すると共に、前記ポーリング周期を決定する周期決定手段と、送信された前記瞬時値の時系列データに対する所定の補間区間での補間演算手段と、送信された前記瞬時値の時系列データおよび前記補間演算手段の補間演算結果を保持する情報蓄積手段とを具備する物理量収集システムにおいて、
前記測定装置は、測定された前記物理量を積算する物理量積算手段を備え、この物理量積算手段の積算値を、前記ネットワークを介して前記情報収集装置に送信し、
前記情報収集装置は、前記補間区間での推定積算値の時間平均値を演算する推定平均演算手段と、送信された前記積算値の前記補間区間での時間平均値を演算する実績平均演算手段とを備え、前記推定平均演算手段の推定平均値および前記実績平均演算手段の実績平均値を前記情報蓄積手段に保持する、
ことを特徴とする物理量収集システム。
【請求項６】
前記情報収集装置は、前記推定平均演算手段の時間平均値及び前記実績平均演算手段の時間平均値の差に基づいて、前記周期決定手段の前記ポーリング周期を変更する平均値比較手段を備えることを特徴とする請求項５に記載の物理量収集システム。
【請求項７】
前記補間演算手段は、ユーザが指定する１個または複数個の補間方式に基づく補間演算を実行することを特徴とする請求項５または６に記載の物理量収集システム。
【請求項８】
前記情報収集装置は、一定期間に収集した前記瞬時値に対して、前記測定装置より定期的に前記積算値を取得することを特徴とする請求項５乃至７のいずれかに記載の物理量収集システム。
【請求項９】
前記測定装置と前記情報収集装置は、前記ネットワークを介してＳＮＭＰ（Simple Network Management Protocol）により相互通信することを特徴とする請求項１乃至８のいずれかに記載の物理量収集システム。
【発明の詳細な説明】
【技術分野】
【０００１】
本発明は、遠隔配置された測定装置で測定された物理量の瞬時値を、この瞬時値が所定のしきい値を超えたイベント発生時にネットワークを介して情報収集装置に送信すると共に、送信された前記瞬時値に対して所定幅のしきい値を設定するしきい値設定手段と、送信された前記瞬時値の時系列データに対する所定の補間区間での補間演算手段と、送信された前記瞬時値の時系列データおよび前記補間演算手段の補間演算結果を保持する情報蓄積手段とを具備する物理量収集システムに関するものである。
【背景技術】
【０００２】
一方の通信装置からの情報を、ネットワークを介して他方の通信装置に収集し、他方の通信装置の情報を、ネットワークを介して一方の通信装置にフィードバックする情報収集システムは、特許文献１に開示されている。
【０００３】
一般的に、遠隔からのネットワークを介しての物理量の情報収集は、情報収集装置から遠隔の測定装置に対して定期的なポーリングを行うことにより実現することができる。この定期的なポーリングにおいては、収集に要するネットワークのトラフィックが、ポーリング周期により定まる頻度で発生する。
【０００４】
収集トラフィック量は、コストとしての位置付けであり、より少ない量であることが望まれる。収集トラフィック量の削減は、ポーリング周期を長くすることで対応が可能であるが、情報収集対象である物理量の大きな変化を見落とす可能性が高まる。
【０００５】
比較的物理量の変化が小さく、変化が断続的に生じる場合においては、イベントを通知する方式を採用することで、収集に要するトラフィック量を削減することができ、物理量の大きな変化を見落とすことを回避することができる。
【０００６】
図１０は、従来のイベント方式による物理量収集システムの構成例を示す機能ブロック図である。遠隔に配置された物理量の測定装置１０と測定された物理量を情報として収集する情報収集装置２０は、ネットワーク３０を介して相互に通信する。ネットワーク３０は、有線、無線、もしくはこれらの組み合わせで構成される。
【０００７】
測定装置１０は、通信制御手段１１、測定管理手段１２、物理量測定手段１３を備える。通信制御手段１１は、ネットワーク３０とインターフェースし、情報収集手段２０と接続する。
【０００８】
物理量測定手段１３は、測定装置１０内部の物理量測定対象１４または測定装置１０外部の物理量測定対象１５の消費電力等の物理量の瞬時値を連続して測定し、測定管理手段１２に渡す。
【０００９】
測定管理手段１２は、後述する情報収集装置２０のしきい値設定手段２３、もしくは、測定管理手段１２自身が備える自律的な動作により設定された、上限しきいおよび下限しきい値を保有する。
【００１０】
測定管理手段１２は、物理量測定手段１３から取得した物理量の瞬時値について、上限しきい値および下限しきい値に対する超過判定を行い、超過した場合には、イベント発生処理を行う。イベント発生時は、ネットワーク３０経由で情報収集装置２０の情報管理手段２２に測定した情報として、物理量の瞬時値を受け渡す。
【００１１】
情報収集装置２０は、ネットワーク３０とインターフェースする通信制御手段２１、イベント発生時にネットワーク３０経由で測定管理手段１２より物理量の瞬時値を受信する情報管理手段２２、この情報管理手段２２から取得する瞬時値に対して設定される所定幅を持つ上限しきい値および下限しきい値を算出し、ネットワーク３０を介して測定管理手段１２に送信するしきい値設定手段２３を備える。
【００１２】
測定管理手段１２は、しきい値設定手段２３から取得した上限しきい値および下限しきい値に基づいて、前回イベント発生時に設定されていた上限しきい値および下限しきい値を更新する。
【００１３】
イベント発生処理については、RFC2819  Remote Network Monitoring MIB、RFC 2981 Event MIB、その他のしきい値管理が可能な手段が用いられる。また、イベント通知については、ネットワークがインターネットプロトコルである場合、SNMPのtrap、もしくは、informが使われることがある。
【００１４】
情報収集装置２０は、補間演算手段２２ａを備える。この補間演算手段は、ネットワーク３０経由で、測定管理手段１２から取得した瞬時値と、次のイベント発生時の瞬時値収集までの区間を指定される補間方式により補間処理して推定する演算を実行する。
【００１５】
情報収集装置２０が取得した瞬時値および補間演算した結果は、情報蓄積手段２４に渡され蓄積される。蓄積形態としては、RDB、ファイル出力、メモリ格納等が該当する。蓄積された情報は、情報開示手段２５に渡されて表示される。
【００１６】
図１１は、物理量と、しきい値と、イベント発生の関連を示す波形図である。時刻ｔ１以前に設定されていた上限しき値Ｈ１および下限しきい値Ｌ１の環境で、時刻ｔ１において物理量が上限しきい値Ｈ１をクロスするのでイベントが発生し、この時の瞬時値が情報収集装置２０に送信される。送信された瞬時値に対して所定幅をもつ新たな上限しきい値Ｈ２および下限しきい値Ｌ２が設定される。
【００１７】
上限しきい値Ｈ２および下限しきい値Ｌ２の環境で、時刻ｔ２において物理量が下限しきい値Ｌ２をクロスするのでイベントが発生し、この時の瞬時値が情報収集装置２０に送信される。
【００１８】
図１２は、０次補間演算の概念を説明する波形図である。時刻ｔ１のイベント発生時の物理量の瞬時値を、次のイベントまで推定して維持する補間演算を実行する。
【００１９】
図１３は、１次補間演算の概念を説明する波形図である。時刻ｔ１のイベント発生時の物理量の瞬時値と、時刻ｔ２のイベント発生時の物理量の瞬時値とを直線で結んだ特性で推定する補間演算を実行する。
【００２０】
図１４は、図１０に示す従来構成の信号処理手順を示すフローチャートである。図１０（Ａ）は、測定装置１０側の処理の流れ、同（Ｂ）は情報収集装置２０側の処理の流れを示す。
【００２１】
図１０（Ａ）側の測定装置において、ステップＳ１で物理量測定が実行され、ステップＳ２で現在のしきい値に対するクロス判定が実行され、しきい値のクロスが発生すると、（Ｂ）側の情報収集装置にイベント発生を通知し、瞬時値を渡す。
【００２２】
図１０（Ｂ）側の情報収集装置では、ステップＳ３でイベントを受信すると、渡された瞬時値に対して設定された幅を持つ上限しきい値及び下限しきい値を算出し、同（Ａ）側の測定装置に通知する。測定装置は、ステップＳ５でしきい値を更新する。同（Ｂ）側の情報収集装置では、ステップＳ６で指定された方式に基づき補間による推定演算を実行し、ステップＳ７で演算結果を蓄積し、待機状態に戻る。
【００２３】
図１５は、従来構成の信号処理手順の他の例を示すフローチャートである。この処理フローは、測定装置１０内に自立したしきい値の設定機能を有する場合の処理を示し、図１４との相違点は、ステップＳ２とステップＳ５の間に、しきい値算出のステップＳ４が介在する点にある。他の処理は図１４のフローと同一である。
【００２４】
図１６は、ポーリング方式を用いた従来の物理量収集システムの構成例を示す機能ブロック図である。ポーリング方式の場合には、図１０に示したしきい値設定手段２３を、周期決定手段２６に置き換えることで物理量収集システムを構築することが可能である。ポーリング方式における物理量測定装置の物理量測定は、図では要求時に物理量測定を行っているが、要求とは関係なく非同期に物理量測定を行い、要求を受け取ったタイミングでの物理量測定値により応答する場合もある。
【００２５】
図１７は、図１６に示す従来構成の信号処理手順を示すフローチャートである。図１４のフローとの相違は、ステップＳ８による情報収集装置側からの定周期または非同期のポーリングで測定装置側に情報要求を行い、測定装置側からの瞬時値の応答に対して情報収集装置側で補間による推定演算を実行する。
【先行技術文献】
【特許文献】
【００２６】
【特許文献１】特開２０１１−１９９８４６
【発明の概要】
【発明が解決しようとする課題】
【００２７】
図１８（Ａ），（Ｂ），（Ｃ）は、物理量の変化パターンの典型例を示す波形図である。同（Ａ）は連続的変化型、同（Ｂ）は階段状変化型、同（Ｃ）は不規則変化型を示している。従来の物理量収集システムでは、次のような問題がある。
【００２８】
（１）物理量の変化パターンによっては、データ収集方式（イベント方式、ポーリング方式）、補間方式による推定結果が、現実の変化と大きく異なるケースがあり、誤った情報をユーザに提示する可能性がある。
【００２９】
（２）物理量の変化パターン毎に、適するデータ収集方式、補間方式が存在する。データ収集方式、補間方式の選択により、得られる精度は変化する。例えば、イベント方式における同じしきい値条件において、連続的変化、階段状変化、不規則変化では収集精度が夫々異なる。また、補間方式においては、連続的変化は１次補間、２次補間等が一般的に精度を期待でき、階段状変化は０次補間が精度を期待できる。
【００３０】
本発明の目的は、補間区間の推定演算精度をユーザが把握し、データ収集方式（イベント方式とポーリング方式）の選択、イベント方式におけるしきい値幅選択、ポーリング方式における周期選択および補間方式（０次補間、１次補間、２次補間等）の選択を可能とする物理量収集システムを実現することにある。
【課題を解決するための手段】
【００３１】
このような課題を達成するために、本発明は次の通りの構成になっている。
（１）遠隔配置された測定装置で測定された物理量の瞬時値を、この瞬時値が所定のしきい値を超えたイベント発生時にネットワークを介して情報収集装置に送信すると共に、送信された前記瞬時値に対して所定幅のしきい値を設定するしきい値設定手段と、送信された前記瞬時値の時系列データに対する所定の補間区間での補間演算手段と、送信された前記瞬時値の時系列データおよび前記補間演算手段の補間演算結果を保持する情報蓄積手段とを具備する物理量収集システムにおいて、
前記測定装置は、測定された前記物理量を積算する物理量積算手段を備え、この物理量積算手段の積算値を、前記ネットワークを介して前記情報収集装置に送信し、
前記情報収集装置は、前記補間区間での推定積算値の時間平均値を演算する推定平均演算手段と、送信された前記積算値の前記補間区間での時間平均値を演算する実績平均演算手段とを備え、前記推定平均演算手段の推定平均値および前記実績平均演算手段の実績平均値を前記情報蓄積手段に保持する、
ことを特徴とする物理量収集システム。
【００３２】
（２）前記情報収集装置は、前記推定平均演算手段の時間平均値及び前記実績平均演算手段の時間平均値の差に基づいて、前記しきい値設定手段の前記所定幅を変更する平均値比較手段を備えることを特徴とする（１）に記載の物理量収集システム。
【００３３】
（３）前記補間演算手段は、ユーザが指定する１個または複数個の補間方式に基づく補間演算を実行することを特徴とする（１）または（２）に記載の物理量収集システム。
【００３４】
（４）前記情報収集装置は、一定期間に収集した前記瞬時値に対して、前記測定装置より定期的に前記積算値を取得することを特徴とする（１）乃至（３）のいずれかに記載の物理量収集システム。
【００３５】
（５）遠隔配置された測定装置で測定された物理量の瞬時値を、所定のポーリング周期でネットワークを介して情報収集装置に送信すると共に、前記ポーリング周期を決定する周期決定手段と、送信された前記瞬時値の時系列データに対する所定の補間区間での補間演算手段と、送信された前記瞬時値の時系列データおよび前記補間演算手段の補間演算結果を保持する情報蓄積手段とを具備する物理量収集システムにおいて、
前記測定装置は、測定された前記物理量を積算する物理量積算手段を備え、この物理量積算手段の積算値を、前記ネットワークを介して前記情報収集装置に送信し、
前記情報収集装置は、前記補間区間での推定積算値の時間平均値を演算する推定平均演算手段と、送信された前記積算値の前記補間区間での時間平均値を演算する実績平均演算手段とを備え、前記推定平均演算手段の推定平均値および前記実績平均演算手段の実績平均値を前記情報蓄積手段に保持する、
ことを特徴とする物理量収集システム。
【００３６】
（６）前記情報収集装置は、前記推定平均演算手段の時間平均値及び前記実績平均演算手段の時間平均値の差に基づいて、前記周期決定手段の前記ポーリング周期を変更する平均値比較手段を備えることを特徴とする（５）に記載の物理量収集システム。
（７）前記補間演算手段は、ユーザが指定する１個または複数個の補間方式に基づく補間演算を実行することを特徴とする（５）または（６）に記載の物理量収集システム。
【００３７】
（８）前記情報収集装置は、一定期間に収集した前記瞬時値に対して、前記測定装置より定期的に前記積算値を取得することを特徴とする（５）乃至（７）のいずれかに記載の物理量収集システム。
【００３８】
（９）前記測定装置と前記情報収集装置は、前記ネットワークを介してＳＮＭＰ（Simple Network Management Protocol）により相互通信することを特徴とする（１）乃至（８）のいずれかに記載の物理量収集システム。
【発明の効果】
【００３９】
本発明によれば、次のような効果を期待することができる。
（１）物理量の測定装置１０側に積算機能を備え、積算値をイベントのタイミングで収集することで、イベント間の補間方式の妥当性を知ることができる。
【００４０】
（２）補間値による推定平均値と積算値による実績平均値との乖離状態を比較することにより、測定対象の変動に対応した適切な補間方式がどれであるかを的確に判断することができる。
【００４１】
（３）補間値による推定平均値と積算値による実績平均値との乖離状態を監視することにより、しきい値の設定幅、ポーリング周期を自動的に最適化することができる。
【図面の簡単な説明】
【００４２】
【図１】本発明を適用したイベント方式による物理量収集システムの一実施例を示す機能ブロック図である。
【図２】図１に示す本発明構成の信号処理手順を示すフローチャートである。
【図３】本発明の効果を説明する波形図である。
【図４】本発明を適用したポーリング方式による物理量収集システムの他の実施例を示す機能ブロック図である。
【図５】補間方式の選択に関するユーザ情報提供の手順を示すフローチャートである。
【図６】本発明を適用したイベント方式による物理量収集システムの更に他の実施例を示す機能ブロック図である。
【図７】図６に示す本発明構成の信号処理手順を示すフローチャートである。
【図８】本発明を適用したポーリング方式による物理量収集システムの更に他の実施例を示す機能ブロック図である。
【図９】図８に示す本発明構成の信号処理手順を示すフローチャートである。
【図１０】従来のイベント方式による物理量収集システムの構成例を示す機能ブロック図である。
【図１１】物理量と、しきい値と、イベント発生の関連を示す波形図である。
【図１２】０次補間演算の概念を説明する波形図である。
【図１３】１次補間演算の概念を説明する波形図である。
【図１４】図１０に示す従来構成の信号処理手順を示すフローチャートである。
【図１５】従来構成の信号処理手順の他の例を示すフローチャートである。
【図１６】従来のポーリング方式による物理量収集システムの構成例を示す機能ブロック図である。
【図１７】図１６に示す従来構成の信号処理手順を示すフローチャートである。
【図１８】物理量の変化パターンの典型例を示す波形図である。
【発明を実施するための形態】
【００４３】
以下、本発明を図面により詳細に説明する。図１は、本発明を適用したイベント方式による物理量収集システムの一実施例を示す機能ブロック図である。図１０で説明した従来構成と同一要素には同一符号を付して説明を省略する。
【００４４】
図１０に示した従来構成に追加される本発明の特徴部は、測定装置１０側に設けた物理量積算手段１００および情報収集装置２０側に設けた平均値演算手段２００を備える構成にある。
【００４５】
物理量積算手段１００は、物理量測定手段１３で測定される物理量を積算し、積算値を測定管理手段１２に渡す。測定管理手段１２は、イベント発生時に物理量の瞬時値と積算値の双方を情報収集装置２０の情報管理手段２２に渡す。
【００４６】
イベント情報の通信において、単数の情報のみ受け渡しが可能な場合は、まず、物理量の瞬時値のみを受け渡し、情報収集装置２０が受け渡しに対応して起こす要求処理に対応して物理量の積算値を情報収集装置２０に受け渡す。
【００４７】
情報収集装置２０の情報管理手段２２は、測定装置１０の測定管理手段１２から物理量の瞬時値と積算値を同時に受け取る。または、測定管理手段１２からの情報が物理量の瞬時値のみの場合、測定管理手段１２に対し、物理量の積算値を取得する要求を出す。
【００４８】
測定装置１０から収集した瞬時値は、補間演算手段２２ａにより次の瞬時値収集までの区間を指定された補間方式により補間演算により推定する。取得、演算した結果は、情報蓄積手段２４に渡たされる。
【００４９】
平均値演算手段２００は、情報管理手段２２から補間値を取得する推定平均演算手段２０１および情報管理手段２２から積算値を取得する実績平均演算手段２０２を備え、これら演算手段により演算された平均値情報は、情報蓄積手段２４に渡たされる。
【００５０】
推定平均演算手段２０１は、情報管理手段２２において瞬時値の補間処理により推定した補間区間のデータを積算処理して推定積算値を求め、この推定積算値をその補間区間の時間幅で除算することで、補間区間の推定平均値を求めて情報蓄積手段２４に渡す。
【００５１】
実績平均演算手段２０２は、情報管理手段２２より取得した物理量の積算値について、補間区間の始点、終点における積算値の差分をとることで、補間区間の実績積算値を求め、この実績積算値をその補間区間の時間幅で除算することで、補間区間の物理量の実績平均値を求めて情報蓄積手段２４に渡す。
【００５２】
情報開示手段２５は、情報蓄積手段２４に蓄積された瞬時値、積算値、任意の補間区間における積算値の推定平均値、積算値の実績平均値を、情報取得クエリーにより外部へ開示する機能を持つ。
【００５３】
図２は、図１に示す本発明構成の信号処理手順を示すフローチャートである。図１４に示した従来構成によるフローチャートと同一機能のステップは同一符号を付し、本発明で追加されるステップを説明する。
【００５４】
ステップＳ１とＳ２の間に物理量の積算ステップＳ１０１が挿入される。ステップＳ６に後に、補間による推定平均値演算ステップＳ２０１，積算平均値演算ステップＳ２０２、平均演算結果蓄積ステップＳ２０３が追加される。
【００５５】
図３は、本発明の効果を説明する波形図である。時刻ｔ１の瞬時値Ｐ１に対する実績平均値、推定平均値（０次補間）、推定平均値（１次補間）をグループＡ１で示す。時刻ｔ２の瞬時値Ｐ２に対する実績平均値、推定平均値（０次補間）、推定平均値（１次補間）をグループＡ２で示す。
【００５６】
この結果から、補間方式の相違による推定平均値と実績平均値の乖離状態において、推定平均値（１次補間）と比べて、推定平均値（０次補間）が実績平均値と近似していることが分かり、補間方式として０次補間が妥当であることをユーザが判断することが可能である。
【００５７】
図４は、ポーリング方式を用いた本発明を適用した物理量収集システムの他の実施例を示す機能ブロック図である。ポーリング方式の場合には、図１に示したしきい値設定手段２３を、周期決定手段２６に置き換えることで物理量収集システムを構築することが可能である。
【００５８】
図５は、補間方式の選択に関するユーザ情報提供の手順を示すフローチャートである。情報収集装置において、ステップ（イ）ではイベント受信もしくはポーリング応答を受信し、ステップ（ロ）では設定された複数の補間方式による推定値演算を実行する。
【００５９】
ステップ（ハ）では複数の推定平均値と実績平均値が算出され、ステップ（二）では実績平均値と複数の推定平均値が比較され、ステップ（ホ）で最良な補間方式における推定値を蓄積し、ステップ（へ）で最良な補間方式が開示される。
【００６０】
瞬時値と積算値は同時に収集する手法のみでなく、一定期間に収集した瞬時値に対して定期的に積算値を収集して推定平均値と実績平均値を比較することにより、収集方式、補間方式の妥当性を知ることができる。
【００６１】
図６は、本発明を適用したイベント方式による物理量収集システムの更に他の実施例を示す機能ブロック図であり、妥当性の可否判断に基づき、しきい値幅を自動的に調整するための平均値比較手段３００を備える。
【００６２】
平均値比較手段３００は、平均値演算手段２００の情報を取得し、任意の補間区間において直近の推定平均値、実績平均値を比較して推定平均値の誤差の許容範囲を判定する。この判定は、任意の範囲で過去に遡り、複数の値が比較される場合がある。妥当性の可否判断に基づき、しきい値設定手段２３のしきい値幅の調整をすることで、妥当性を自動的に維持することが可能となる。
【００６３】
図７は、図６に示す本発明構成の信号処理手順を示すフローチャートである。図２に示すフローチャートのしきい値算出ステップＳ４の前に追加されるステップは、矢印Ｃで示す範囲であり、推定平均誤差が許容範囲であるか否かのチェックステップＳ２０５、許容範囲であればしきい値幅を維持または拡大するステップＳ２０６、誤差範囲外であればしきい値幅を縮小するステップＳ２０７である。
【００６４】
図８は、本発明を適用したポーリング方式による物理量収集システムの更に他の実施例を示す機能ブロック図である。平均値比較手段３００は、平均値演算手段２００の情報を取得し、任意の補間区間において直近の推定平均値、実績平均値を比較して推定平均値の誤差の許容範囲を判定する。
【００６５】
この判定は、任意の補間範囲で過去に遡り、複数の値が比較される場合がある。妥当性の可否判断に基づき、周期決定手段２６のポーリング周期の調整をすることで、妥当性を自動的に維持することが可能となる。
【００６６】
図９は、図８に示す本発明構成の信号処理手順を示すフローチャートである。図１７に示す従来構成のフローチャートとの相違点は、測定装置（Ａ）側では、物理量の積算ステップＳ１０１の追加である。
【００６７】
情報収集装置（Ｂ）側では、推定平均値および実績平均値の算出ステップＳ２０１,Ｓ２０２、推定平均誤差が許容範囲であるか否かのチェックステップＳ２０５、許容範囲であれば収集周期を維持または拡大するステップＳ２０８、誤差範囲外であれば収集周期を縮小するステップＳ２０９、平均演算結果蓄積ステップＳ２０３の追加である。
【００６８】
以上説明した実施例では、情報収集装置で収集した測定値を評価する指標として積算値および推定積算値の平均値を用いて比較する手法を示したが、平均値演算を省き、積算値および推定積算値の比較により判断する手法を採用することも可能である。
【符号の説明】
【００６９】
１０  測定装置
１１  通信制御手段
１２  測定管理手段
１３  物理量測定手段
１４  物理量測定対象（内部）
１５  物理量測定対象（外部）
２０  情報収集装置
２１  通信制御手段
２２  情報管理手段
２２ａ  補間演算手段
２３  しきい値設定手段
２４  情報蓄積手段
２５  情報開示手段
２６  周期決定手段
３０  ネットワーク
１００  物理量積算手段
２００  平均値演算手段
２０１  推定平均演算手段
２０２  実績平均演算手段
３００  平均値比較手段
【図１】
2013182497.tif 000003
【図２】
2013182497.tif 000004
【図３】
2013182497.tif 000005
【図４】
2013182497.tif 000006
【図５】
2013182497.tif 000007
【図６】
2013182497.tif 000008
【図７】
2013182497.tif 000009
【図８】
2013182497.tif 000010
【図９】
2013182497.tif 000011
【図１０】
2013182497.tif 000012
【図１１】
2013182497.tif 000013
【図１４】
2013182497.tif 000014
【図１５】
2013182497.tif 000015
【図１６】
2013182497.tif 000016
【図１７】
2013182497.tif 000017
【図１２】
2013182497.tif 000018
【図１３】
2013182497.tif 000019
【図１８】
2013182497.tif 000020